(57)【要約】【課題】迷惑な来訪者に対する防衛策の向上を図ること。【解決手段】インターホンシステム１０は、取得部と、蓄積部（記憶部２０３）と、処理制御部と、を備える。取得部は、呼出先の呼出、及び通話先との通話の少なくとも一方を、通話装置（子機１）を用いて実行する実行者に関する情報を含む対象情報を、取得する。蓄積部は、対象情報を蓄積する。処理制御部は、蓄積された対象情報に基づいて、利用者に対する対応を変更する。【選択図】図１
2020184657.tif 000002
【特許請求の範囲】
【請求項１】
呼出先の呼出、及び通話先との通話の少なくとも一方を、通話装置を用いて実行する実行者に関する情報を含む対象情報を、取得する取得部と、
前記対象情報を蓄積する蓄積部と、
蓄積された前記対象情報に基づいて、利用者に対する対応を変更する処理制御部と、
を備える、
インターホンシステム。
【請求項２】
前記対象情報は、前記実行者の画像に対する評価を含む、
請求項１に記載のインターホンシステム。
【請求項３】
前記対象情報は、前記実行者の音声に対する評価を含む、
請求項１又は請求項２に記載のインターホンシステム。
【請求項４】
前記対象情報は、前記呼出先、及び前記通話先の少なくとも一方となる相手に関する相手情報を含む、
請求項１〜３のいずれか１項に記載のインターホンシステム。
【請求項５】
前記通話装置は、前記相手の側における通話機と通信し、
前記相手情報は、前記通話機にて前記通話装置からの呼出中、及び前記通話機を用いた前記通話装置との通話中の少なくとも一方において、前記通話機で受け付けた前記相手からの操作入力に関する操作情報を含む、
請求項４に記載のインターホンシステム。
【請求項６】
評価項目を設定する、項目設定部を、更に備える、
前記取得部は、前記項目設定部で設定された前記評価項目に対応する前記対象情報を取得する、
請求項１〜５のいずれか１項に記載のインターホンシステム。
【請求項７】
前記通話装置は、前記呼出先、及び前記通話先の少なくとも一方となる相手の側における通話機と通信し、
前記取得部は、前記通話機から前記対象情報を取得する、
請求項１〜６のいずれか１項に記載のインターホンシステム。
【請求項８】
前記処理制御部は、蓄積された前記対象情報に基づいて、インターホン機能自体に関する前記対応を変更する、
請求項１〜７のいずれか１項に記載のインターホンシステム。
【請求項９】
前記処理制御部は、蓄積された前記対象情報に基づいて、インターホン機能以外の外部機能に関する前記対応を変更する、
請求項１〜８のいずれか１項に記載のインターホンシステム。
【請求項１０】
前記対応の変更に関する有効及び無効を設定する、対応設定部を、更に備える、
請求項８又は請求項９に記載のインターホンシステム。
【請求項１１】
前記対象情報を出力する出力部を、更に備える、
請求項１〜１０のいずれか１項に記載のインターホンシステム。
【請求項１２】
各々に前記通話装置が設けられた複数の施設から、前記実行者に関する情報を取得して少なくとも前記複数の施設間で共有化するサーバ装置を、更に備え、
前記対象情報は、共有化された前記情報に関する評価を含む、
請求項１〜１１のいずれか１項に記載のインターホンシステム。
【請求項１３】
前記処理制御部は、前記通話装置を用いて呼出中、又は通話中にある前記実行者の単位で個別に、前記対応を変更する、
請求項１〜１２のいずれか１項に記載のインターホンシステム。
【請求項１４】
インターホンシステムの処理方法であって、
呼出先の呼出、及び通話先との通話の少なくとも一方を、通話装置を用いて実行する実行者に関する情報を含む対象情報を、取得する取得ステップと、
前記対象情報を蓄積する蓄積ステップと、
蓄積された前記対象情報に基づいて、利用者に対する対応を変更する処理制御ステップと、
を含む、
処理方法。
【請求項１５】
１以上のプロセッサに請求項１４に記載の処理方法を実行させるためのプログラム。
【発明の詳細な説明】
【技術分野】
【０００１】
本開示は、一般に、インターホンシステム、処理方法、及びプログラムに関する。より詳細には、本開示は、呼出先の呼出、及び通話先との通話の少なくとも一方が通話装置を用いて実行されるインターホンシステム、インターホンシステムの処理方法、及びプログラムに関する。
【背景技術】
【０００２】
従来例として、特許文献１に記載の集合住宅インターホンシステム（インターホンシステム）を例示する。このインターホンシステムは、集合玄関機、住戸親機、管理室親機間の通信を制御する制御装置を備える。制御装置は、複数の住戸玄関機の呼出順序を記憶した住戸呼出順記憶部と、住戸玄関機による呼出操作を監視して、呼出順序が住戸呼出順記憶部に記憶された順序と一致した場合に迷惑呼出発生と判断する迷惑呼出判断手段と、を備える。そして、迷惑な呼び出しが発生したと判断されると、呼び出しを受けた住戸親機は、呼び出しを管理室親機へ転送し、迷惑な来訪者に対して、管理人が対応可能としている。
【先行技術文献】
【特許文献】
【０００３】
【特許文献１】特開２００９−２３２０７４号公報
【発明の概要】
【発明が解決しようとする課題】
【０００４】
特許文献１に記載のインターホンシステムでは、来訪者の呼出順序に基づいて、言い換えると規則的な操作に基づいて、迷惑な呼び出しが発生したか否かを判断するのみである。そのため、例えば不規則的な操作に対して、迷惑な呼び出しが発生したと判断できない可能性がある。したがって、住人にとって迷惑な来訪者（呼出や通話の実行者）に対する防衛策の向上が望まれる。
【０００５】
本開示は上記事由に鑑みてなされ、迷惑な来訪者に対する防衛策の向上を図ることができる、インターホンシステム、処理方法、及びプログラムを提供することを目的とする。
【課題を解決するための手段】
【０００６】
本開示の一態様のインターホンシステムは、取得部と、蓄積部と、処理制御部と、を備える。前記取得部は、呼出先の呼出、及び通話先との通話の少なくとも一方を、通話装置を用いて実行する実行者に関する情報を含む対象情報を、取得する。前記蓄積部は、前記対象情報を蓄積する。前記処理制御部は、蓄積された前記対象情報に基づいて、利用者に対する対応を変更する。
【０００７】
本開示の一態様の処理方法は、インターホンシステムの処理方法である。前記処理方法は、取得ステップと、蓄積ステップと、処理制御ステップと、を含む。前記取得ステップにて、呼出先の呼出、及び通話先との通話の少なくとも一方を、通話装置を用いて実行する実行者に関する情報を含む対象情報を、取得する。前記蓄積ステップにて、前記対象情報を蓄積する。前記処理制御ステップにて、蓄積された前記対象情報に基づいて、利用者に対する対応を変更する。
【０００８】
本開示の一態様のプログラムは、１以上のプロセッサに上記処理方法を実行させるためのプログラムである。
【発明の効果】
【０００９】
本開示によれば、迷惑な来訪者に対する防衛策の向上を図ることができる、という利点がある。
【図面の簡単な説明】
【００１０】
【図１】図１は、一実施形態に係るインターホンシステムの構成を示すブロック図である。
【図２】図２は、同上のインターホンシステム及び情報端末間における通信を説明するための概念図である。
【図３】図３は、同上のインターホンシステムの子機側制御部の構成を示すブロック図である。
【図４】図４は、同上のインターホンシステムの親機における手動評価情報に関する説明図である。
【図５】図５は、同上のインターホンシステムにおける動作例１の説明図である。
【図６】図６は、同上のインターホンシステムにおける動作例２の説明図である。
【図７】図７は、同上のインターホンシステムにおける動作例３の説明図である。
【発明を実施するための形態】
【００１１】
（１）概要
以下の実施形態において説明する各図は、模式的な図であり、各図中の各構成要素の大きさ及び厚さそれぞれの比が、必ずしも実際の寸法比を反映しているとは限らない。
【００１２】
本実施形態に係るインターホンシステム１０は、一例として、マンション等の集合住宅に適用される集合住宅用のインターホンシステムであることを想定する。言い換えると、インターホンシステム１０が適用される施設１００（図１参照）は、集合住宅である。インターホンシステム１０では、図１に示すように、子機１（ここではロビーインターホン）と各親機２とが例えば制御装置３を介して通信を行うが、制御装置３を介する構成に限定されない。すなわち、子機１（通話装置）は、相手（住戸Ｅ１の住人）の側における親機２（通話機）と通信する。
【００１３】
インターホンシステム１０は、集合住宅以外に、戸建住宅に適用されてもよい。あるいは、インターホンシステム１０は、オフィスビル、劇場、映画館、公会堂、遊技場、複合施設、飲食店、百貨店、学校、ホテル、旅館、病院、老人ホーム、幼稚園、図書館、博物館、美術館、地下街、駅、空港等の非住宅施設に適用されてもよい。
【００１４】
インターホンシステム１０は、図３に示すように、取得部１３０と、蓄積部（記憶部２０３：図１参照）と、処理制御部１３１と、を備えている。取得部１３０は、呼出先の呼出、及び通話先との通話（例えば音声と映像とを含み得る）の少なくとも一方を、子機１（通話装置）を用いて実行する実行者に関する情報を含む対象情報を、取得する。蓄積部（記憶部２０３）は、対象情報を蓄積する。処理制御部１３１は、蓄積された対象情報に基づいて、（インターホンシステム１０の）利用者に対する対応を変更する。ここで言うインターホンシステム１０の「利用者」とは、例えば、子機１を用いて呼出や通話を実行する実行者（来訪者Ｈ１：図４参照）、各住戸Ｅ１（図２参照）の住人、及び集合住宅の管理人等を含み得る。図４の来訪者Ｈ１は、一例として、配達業者である。ここではロビーインターホンである子機１が、取得部１３０及び処理制御部１３１の機能を有していることを想定する。
【００１５】
以下では一例として、「対象情報」は、実行者に関する情報として、実行者に関する評価（評価情報）を含むことを想定するが、評価情報の代わりに、又は評価情報に加えて、評価を含まない情報（例えば実行者の音声データ、又は画像データ等）を含んでもよい。
【００１６】
この構成によれば、処理制御部１３１が、蓄積された対象情報に基づいて、利用者（来訪者Ｈ１、住人、管理人等）に対する対応を変更する。そのため、迷惑な来訪者に対する防衛策の向上を図ることができる。
【００１７】
（２）詳細
以下、本実施形態に係るインターホンシステム１０の全体構成について、図１〜図７を参照しながら詳しく説明する。
【００１８】
（２．１）全体構成
本実施形態に係るインターホンシステム１０は、図１に示すように、１以上の任意の台数の子機１（図１では１台）と、複数台（図１では２台）の親機２と、制御装置３と、を備えている。制御装置３の数は、図１では１台であるが、１以上の任意の台数でもよいし、省略（０台）されてもよい。またインターホンシステム１０は、複数台（図１では２台）のドアホン４と、複数台（図１では２台）の分岐器５と、を更に備えている。またインターホンシステム１０は、図１に示すように、サーバ装置２００とゲートウェイ３００とを、更に備えている。
【００１９】
複数台の親機２の各々は、例えば、集合住宅である施設１００の、各住戸Ｅ１内に設置される住戸端末である。各親機２は、子機１との間で通信（例えば、通話、及び映像信号の受信等）を行うように構成されている。各親機２は、子機１の撮像部１１で撮影された映像を表示する表示部２２を有している。親機２は、施設１００の管理室及び多目的ルーム（集会場、ゲストルーム、及びキッズルーム）等にも設置されてもよい。
【００２０】
制御装置３は、子機１と各親機２との間において、呼出制御を行い、信号を中継するように構成されている。制御装置３は、例えば、管理室に設置されている。制御装置３は、例えば、来訪者Ｈ１が子機１を用いて親機２を呼び出したときに、子機１と親機２との間で送受信される信号を中継する。
【００２１】
複数台のドアホン４の各々は、施設１００の各住戸Ｅ１の外玄関に設置されている。複数台のドアホン４は、複数台の親機２と一対一に対応している。複数台のドアホン４が、１台の親機２と対応してもよい（複数対一）。各ドアホン４は、対応する親機２との間で通信（例えば、通話、及び映像信号の送信等）を行うように構成されている。
【００２２】
子機１は、上述の通り、施設１００のロビーインターホンであり、第１幹線６１を介して制御装置３に接続されている。複数台の分岐器５の各々は、第２幹線６２に挿入されており、第２幹線６２に対して複数台の親機２を接続可能にする。本実施形態では、第２幹線６２から複数の分岐線６３に分岐しており、複数台の分岐器５は、第２幹線６２における複数の分岐線６３の分岐点にそれぞれ設けられている。これにより、各親機２は、分岐器５を介して第２幹線６２に対して接続可能になる。なお、分岐器５は、インターホンシステム１０にとって必須の構成要素ではなく、適宜に省略されてもよい。
【００２３】
各親機２は、第２幹線６２、分岐線６３及び分岐器５を介して制御装置３に接続されている。各ドアホン４は、接続線６４を介して対応する親機２に接続されている。第１幹線６１、第２幹線６２、分岐線６３及び接続線６４の各々は、例えば、ツイストペアケーブルからなる。
【００２４】
（２．２）子機（通話装置）
（２．２．１）子機の全体構成
次に、子機１（通話装置）の構成について説明する。子機１は、図１に示すように、撮像部１１と、子機側伝送部１２と、子機側制御部１３と、子機側操作部１４と、映像処理部１５と、記憶部１６と、センサ１７と、表示部１８と、を有している。さらに、子機１は、親機２との間で通話を実現するための通話部１９（スピーカ及びマイクロホンを含む）等を有している。また、子機１は、上述した構成要素を収容又は保持する筐体を有している。
【００２５】
撮像部１１は、撮像素子を有し、被写体を撮像するためのカメラである。ここでは被写体は、来訪者Ｈ１とする。本実施形態では、来訪者Ｈ１が子機１を操作する際に少なくとも来訪者Ｈ１の顔を撮像できるように、撮像部１１の撮像エリア（視野）は、子機１の前方に設定されている。本実施形態では、撮像部１１は動画を撮像するカメラである。さらに、本実施形態では、撮像部１１はカラー画像を撮像するカメラである。
【００２６】
撮像素子は、例えば、ＣＣＤ（Charge Coupled Devices）イメージセンサ、又はＣＭＯＳ（Complementary Metal-Oxide Semiconductor）イメージセンサ等の二次元イメージセンサである。撮像部１１は、被写体からの光をレンズ等の光学系によって撮像素子の撮像面（受光面）上に結像させ、撮像素子にて被写体からの光を電気信号に変換する。そして、撮像部１１は、撮像素子の出力信号を映像信号として映像処理部１５へ出力する。
【００２７】
子機側伝送部１２は、親機２と通信するための通信インタフェースである。子機側伝送部１２は、第１幹線６１を介して制御装置３に接続されている。図１では、第１幹線６１を１本の線で示している。子機側伝送部１２は、制御装置３の通信部３２を介して、親機２との間で双方向に通信可能に構成されている。子機側伝送部１２は、親機２に対して通信信号を送信するように構成されている。通信信号には、音声信号、映像信号及び制御信号等が含まれている。また、子機側伝送部１２は、通信部３２を介して親機２から送信される通信信号を受信し、受信した通信信号を復調することで音声信号等を取得する。音声信号は、子機側制御部１３を介して通話部１９へ出力される。
【００２８】
子機側操作部１４は、人（例えば来訪者Ｈ１）の操作を受け付けるように構成されている。子機側操作部１４は、例えば、複数の押しボタン、及びタッチパネル等を有する入力インタフェースである。複数の押しボタンは、例えば、０〜９のテンキー、アスタリスク（＊）ボタン、消ボタン、及び呼出ボタン等を有している。例えば、来訪者Ｈ１が、子機１で、ある部屋番号（住戸番号）の住人を呼び出したい場合、テンキーの数字ボタンを順に押していき、当該部屋番号を入力する。最後に、来訪者Ｈ１が、呼出ボタンを押すことで、部屋番号の入力が確定されて、その部屋番号の住戸Ｅ１の親機２に対して呼出が実行される。
【００２９】
映像処理部１５は、撮像部１１から出力される映像信号を受けて、信号処理により映像信号に含まれる映像を処理するように構成されている。映像処理部１５は、例えば、ＤＳＰ（Digital Signal Processor）又はＦＰＧＡ（Field-Programmable Gate Array）等のデバイスにて実現される。
【００３０】
センサ１７は、例えば焦電型の赤外線センサであり、人等が動く際に生じる赤外線の変化量を検出することによって人等を検出する。
【００３１】
子機側制御部１３は、例えば、コンピュータシステムを含んでいる。コンピュータシステムは、ハードウェアとしての１以上のプロセッサ及び１以上のメモリを主構成とする。コンピュータシステムの１以上のメモリに記録されたプログラムを１以上のプロセッサが実行することによって、子機側制御部１３の機能が実現される。プログラムは、コンピュータシステムの１以上のメモリに予め記録されている。なお、プログラムは、電気通信回線を通じて提供されてもよいし、コンピュータシステムで読み取り可能なメモリカード、光学ディスク、ハードディスクドライブ等の非一時的記録媒体に記録されて提供されてもよい。
【００３２】
子機側制御部１３は、撮像部１１及び子機側伝送部１２を制御するように構成されている。さらに、子機側制御部１３は、映像処理部１５及び表示部１８を制御するように構成されている。
【００３３】
子機側制御部１３は、撮像部１１を制御することによって、撮像部１１に映像を撮像させる。子機側制御部１３は、例えば、センサ１７で来訪者Ｈ１等の人を検出すると撮像部１１を起動して人の撮像を開始する。子機側制御部１３は、表示部１８を制御することによって、部屋番号の入力を案内する案内画像に、撮像部１１で撮像中のリアルタイムの映像を重ねて、表示画面に出力する。
【００３４】
また子機側制御部１３は、対応する親機２（通話機）にて呼出先となる相手（住人）を呼出中、及び子機１と親機２との間で通信中に撮像部１１で撮像した映像を、親機２に送出する。映像は、通話中におけるリアルタイムの映像である第１映像、及び、第１映像に対して過去の映像である第２映像（例えば呼出前や呼出中に撮像した映像）を含み得る。
【００３５】
子機側制御部１３は、子機側伝送部１２を制御することによって、子機側伝送部１２に親機２への通信信号を送信させ、かつ子機側伝送部１２に親機２からの通信信号を受信させる。親機２への通信信号には、音声信号、映像信号及び制御信号等が含まれている。また、親機２からの通信信号には、音声信号及び制御信号等が含まれている。
【００３６】
子機側制御部１３は、映像処理部１５を制御することによって、映像処理部１５に撮像部１１からの映像信号に含まれる映像を処理させる。映像処理部１５にて処理された映像は、子機側伝送部１２から親機２に送信される。
【００３７】
子機側制御部１３は、子機側操作部１４にて受け付けられた操作入力に応じて、各種の機能を実行するように構成されている。子機側制御部１３は、現在、表示部１８の表示画面で表示中の案内画像との関係性に基づき、当該案内画像と対応する機能を実行するように構成されている。例えば、子機側制御部１３は、表示画面で部屋番号の入力を催促する案内画像が表示されている最中に、数字ボタンが操作されると、入力された数字を表示画面上に出力していく。そして、子機側制御部１３は、部屋番号の入力後、呼出ボタンが操作されると、呼出先となる相手、すなわち該当する住戸Ｅ１の住人の側における親機２に呼出信号を送信して、親機２にて呼出（呼出音の出力）を開始させる。
【００３８】
記憶部１６は、ＲＯＭ（Read Only Memory）、ＲＡＭ（Random Access Memory）、又はＥＥＰＲＯＭ（Electrically Erasable Programmable Read Only Memory）等から選択されるデバイスで構成される。記憶部１６は、撮像部１１で撮像した第１映像及び第２映像を記憶（録画）する。記憶部１６は、子機側制御部１３の外部に設けられているが、子機側制御部１３の内部に設けられていてもよい。すなわち、記憶部１６は、子機側制御部１３の内蔵メモリであってもよい。記憶部１６は、撮像部１１で撮像した第１映像及び第２映像以外にも後述する種々のデータを記憶する。
【００３９】
表示部１８は、例えば液晶ディスプレイからなる表示画面を有している。表示部１８は、子機側制御部１３の制御下で、種々の案内画像を出力（画像表示）する。また表示部１８は、子機側制御部１３の制御下で、撮像部１１で撮像される来訪者Ｈ１自身の映像を表示する。親機２の呼出最中、又は親機２との通話中では、来訪者Ｈ１の映像は、表示部１８に出力されず、親機２の側に出力される。
【００４０】
ここで子機側制御部１３は、図３に示すように、取得部１３０と、処理制御部１３１と、項目設定部１３２と、対応設定部１３３と、出力部１３４と、を有している。言い換えると、子機側制御部１３は、取得部１３０、処理制御部１３１、項目設定部１３２、対応設定部１３３、及び出力部１３４としての機能を有している。
【００４１】
（２．２．２）子機側制御部の取得部
取得部１３０は、呼出先の呼出、及び通話先との通話の少なくとも一方を、子機１を用いて実行する実行者である来訪者Ｈ１に関する情報を含む対象情報を取得する。ここでは上述の通り、対象情報は、来訪者Ｈ１に関する情報として、来訪者Ｈ１に関する「評価情報」を含む。ここでは取得部１３０は、評価情報を、子機１の外部から取得する。
【００４２】
本実施形態では、評価情報は、人（例えば住人）が親機２を操作して来訪者Ｈ１を評価することによる「手動評価情報（相手情報）」と、１又は複数のサーバ装置２００の評価処理による「自動評価情報」とを含む。サーバ装置２００の評価処理については後述する。要するに、来訪者Ｈ１に関する評価は、子機１の外部で実行される。
【００４３】
以下、「自動評価情報」について説明する。
【００４４】
ここでは一例として、取得部１３０は、呼出先の呼出を実行する来訪者Ｈ１に関する評価を含む自動評価情報（以下、「第１評価情報」と呼ぶ）を、取得する。また取得部１３０は、呼出先となる相手（住人）が、親機２の呼出に応答して、来訪者Ｈ１との通話を開始した場合に、住人（通話先）との通話を実行する来訪者Ｈ１に関する評価を含む自動評価情報（以下、「第２評価情報」と呼ぶ）を、取得する。
【００４５】
自動評価情報の第１評価情報は、呼出先の呼出を実行する実行者である来訪者Ｈ１の「画像」に対する評価を含む。特に第１評価情報は、例えば、来訪者Ｈ１が呼出ボタンを押して部屋番号の入力が確定された時点における、来訪者Ｈ１の画像（例えば静止画）に対する評価を含む。子機側制御部１３は、上記時点（上記時点の前後でもよい）に撮像部１１で撮像された来訪者Ｈ１の画像を含む画像データを、制御装置３を介してサーバ装置２００に転送して、来訪者Ｈ１の画像に対する評価を要求する（評価要求信号の送信）。取得部１３０は、サーバ装置２００から、評価要求信号に対する応答として、制御装置３を介して第１評価情報を含む応答信号を受信する。
【００４６】
第１評価情報は、画像に対する評価に加えて、呼出先の呼出を実行する実行者である来訪者Ｈ１の音声に対する評価を更に含んでもよい。来訪者Ｈ１が複数人である場合、呼出ボタンを押すまでに、来訪者Ｈ１同士が子機１の近くで会話する可能性がある。子機側制御部１３は、例えば、センサ１７で来訪者Ｈ１を検出すると、通話部１９のマイクロホンに入力される音声の録音を開始してもよい。子機側制御部１３は、来訪者Ｈ１が発した音声を録音し、その録音データ（音声データ）を画像データと共に、制御装置３を介して、サーバ装置２００に転送して、来訪者Ｈ１の評価を要求してもよい。この場合における画像データは、部屋番号の入力が確定された時点ではなく、センサ１７で来訪者Ｈ１を検出した時点で、撮像部１１で撮像された来訪者Ｈ１の画像を含んでもよい。なお、センサ１７は、インターホンシステム１０にとって必須の構成要素ではなく、省略されてもよく、画像データは、センサ１７の検出とは無関係に、例えば呼出の実行直前までに撮像されていた所定期間（例えば１０秒間）の来訪者Ｈ１の画像を含んでもよい。
【００４７】
自動評価情報の第２評価情報は、通話先（住人）との通話を実行する実行者の「音声」に対する評価を含む。特に第２評価情報は、例えば、住人が親機２の呼出に応答して子機１側の来訪者Ｈ１と通話中に、通話部１９のマイクロホンに入力される音声に対する評価を含む。子機側制御部１３は、親機２が子機１との通話のための処理を開始した時点から、通話部１９のマイクロホンに入力される音声の録音を開始する。子機側制御部１３は、その録音データ（音声データ）を、制御装置３を介してサーバ装置２００に転送して、来訪者Ｈ１の音声に対する評価を要求する。取得部１３０は、サーバ装置２００から、評価要求信号に対する応答として、制御装置３を介して第２評価情報を含む応答信号を受信する。
【００４８】
第２評価情報は、音声に対する評価に加えて、通話先（住人）との通話を実行する実行者である来訪者Ｈ１の画像に対する評価を更に含んでもよい。子機側制御部１３は、例えば、通話中に撮像部１１で撮像された来訪者Ｈ１の画像を含む画像データを、音声データと共にサーバ装置２００に転送して、来訪者Ｈ１の評価を要求してもよい。
【００４９】
第１評価情報及び第２評価情報について、子機１が、サーバ装置２００に要求するタイミングは、上記のタイミングに限定されない。例えば、子機１は、第１評価情報及び第２評価情報の要求を、通話中において、同時に行なってもよい。また第１評価情報及び第２評価情報のうちのいずれか一方の要求は、省略されてもよい。
【００５０】
子機１は、例えば１回の呼出中の期間内で、第１評価情報を複数回要求してもよい。子機１は、例えば１回の通話中の期間内で、第２評価情報を複数回要求してもよい。Ｎ回目（Ｎは１以上の自然数）の第１評価情報の要求時にサーバ装置２００に転送される画像データは、Ｎ−１回目の第１評価情報の要求時に転送される画像データと異なってもよく、例えば、Ｎ−１回目の要求時の画像データに比べて最新の画像データでもよい。
【００５１】
ここで取得部１３０が取得する自動評価情報は、来訪者Ｈ１に関する、次の４つの評価結果（以下、「第１評価〜第４評価」と呼ぶ）のいずれかを含む。第１評価は、信頼性が最も高い人物を示す評価結果であり、例えば、来訪者Ｈ１が住人の家族、親戚、又は知人等である場合に第１評価として評価される。第２評価は、信頼性が２番目に高い人物を示す評価結果であり、例えば、来訪者Ｈ１が近隣の住人、配達業者、救命救急隊員、又は警察官等である場合に第２評価として評価される。第３評価は、比較的信頼度が低い人物を示す評価結果であり、来訪者Ｈ１が住人にとって望ましくない人（例えば悪質な営業目的の者や、強引な勧誘目的の者）、又は不審者である場合に第３評価として評価される。以下、望ましくない人や不審者を、まとめて「迷惑な来訪者」と呼ぶ。第４評価は、第１評価〜第３評価のいずれにも該当しない、信頼性が不明な人物を示す評価結果であり、例えば、来訪者Ｈ１が、突発的に施設１００に訪れた者である場合に第４評価として評価される。来訪者Ｈ１が、（後述する）設定されている評価項目の小項目に該当しない場合にも、第４評価として評価される。
【００５２】
来訪者Ｈ１が上記のように４段階で評価されることは単なる一例であり、評価の段階は、２段階、３段階、又は５段階以上でもよい。自動評価情報は、例えば、０〜１００までの数値化された評価度の情報を含んでもよい（０が信頼性の最も低い来訪者で、１００に近づくほど信頼性の高い来訪者）。また自動評価情報は、迷惑な来訪者の可能性「８５％」、知人の可能性「１０％」、配達業者の可能性「５％」といった百分率の評価割合の情報を含んでもよい。
【００５３】
次に、「手動評価情報（相手情報）」について説明する。
【００５４】
手動評価情報は、来訪者Ｈ１が呼び出す呼出先、及び来訪者Ｈ１が通話する通話先の少なくとも一方となる相手に関する情報である。本実施形態では、手動評価情報は、親機２にて子機１からの呼出中、及び親機２を用いた子機１との通話中の少なくとも一方において、親機２で受け付けた相手（ここでは住戸Ｅ１の住人）からの操作入力に関する操作情報を含む。
【００５５】
例えば、親機２は、図４に示すように、呼出中及び通話中（通話直後でもよい）のうちの少なくとも一方の最中に、表示部２２に、来訪者Ｈ１の映像に重ねて、「高評価ボタンＲ１」及び「低評価ボタンＲ２」を画像表示させる。住戸Ｅ１の住人は、親機２にて、来訪者Ｈ１の映像を見ながら、高評価ボタンＲ１及び低評価ボタンＲ２（親機側操作部２４の押しボタンでもよい）のいずれか一方にタッチ操作（操作入力）する。すると、操作入力に関する操作情報が、来訪者Ｈ１に対する住人の評価として、手動評価情報に反映される。
【００５６】
ここでは「評価度Ｒ３（０〜１００までの数値）」の画像が、表示部２２に表示されて、高評価ボタンＲ１を押す度に評価度が上がり、低評価ボタンＲ２を押す度に評価度が下がってもよい。図４では、評価度Ｒ３は、一例として「７５」を示す。評価度Ｒ３の初期値は、例えば、「５０」である。住人が、評価に関する操作入力を終えて、表示部２２又は親機側操作部２４に評価の確定操作を行うことで、親機２は、手動評価情報を含む信号を子機１に送信し、子機１の取得部１３０は、親機２（通話機）から、手動評価情報（評価情報）を取得する。
【００５７】
もし来訪者Ｈ１が、過去に住人（現在呼出中又は通話中の住人でもよいし、他の住戸Ｅ１の住人でもよいし、他の施設１００の住人でもよい）から一度でも評価を受けていれば、その時に確定した評価度Ｒ３が表示部２２に表示されてもよい。複数の施設１００間における情報の共有化については後述する。
【００５８】
上述した高評価ボタンＲ１、低評価ボタンＲ２及び評価度Ｒ３を用いた評価に関する操作入力は、単なる一例であり、特に限定されない。親機２は、呼出中及び通話中（通話直後でもよい）のうちの少なくとも一方の最中に、表示部２２に、「不審者ボタン」を表示させて、住人が不審者ボタンをタッチ操作することで、来訪者Ｈ１に対する住人の評価として、手動評価情報に反映されてもよい。さらに例えば、住人が、親機２の親機側操作部２４として設けられている、いわゆる「お引き取り機能」を実行するためのお引き取りボタンを押し操作することで、来訪者Ｈ１に対する住人の評価として手動評価情報に反映されてもよい。「お引き取り機能」とは、例えば、住人が、迷惑な来訪者に対して通話を終えるタイミングを失った場合に、当該ボタンを押すことで、電話の呼出音や子供の泣き声を擬似的に出力させて、通話を終えるタイミングを作る機能である。
【００５９】
また上の例では、住人が、来訪者Ｈ１の評価に関する操作入力を意識的に親機２に行うものである。しかし、手動評価情報は、例えば、積極的に来訪者Ｈ１の評価に関する操作入力を行ったと自覚しないような、操作情報を含んでもよい。手動評価情報は、例えば、住人が在宅中にも関わらず、親機２の呼出に応じない、つまり不操作という操作情報を含んでもよい。なお、住人の在・不在に関する情報は、例えば、親機２の親機側操作部２４として設けられている「不在ボタン」を住人が予め押して申告することで住人の在・不在が管理され得る。さらに、手動評価情報は、呼出中に例えば親機２の親機側操作部２４に設けられている「終了ボタン」を住人が直接押すことで通話を拒否したという操作情報を含んでもよい。
【００６０】
子機１は、親機２から手動評価情報を受信すると、サーバ装置２００に送信する。子機１は、手動評価情報を、サーバ装置２００へ、サーバ装置２００への来訪者Ｈ１の評価を要求するための評価要求信号に含めて送信してもよいし、評価要求信号とは異なるタイミングで送信してもよい。
【００６１】
（２．２．３）子機側制御部の処理制御部
処理制御部１３１は、評価情報に基づいて、インターホンシステム１０の利用者（来訪者Ｈ１、住人、管理人等）に対する対応を変更する。ここでは、処理制御部１３１は、自動評価情報に基づいて、利用者に対する対応を変更するものとするが、自動評価情報の代わりに、手動評価情報に基づいて変更してもよい。
【００６２】
以下、住人に対する対応の変更を「第１変更」と呼び、来訪者Ｈ１に対する対応の変更を「第２変更」と呼び、管理人に対する対応の変更を「第３変更」と呼ぶ。
【００６３】
第１〜第３変更は、全てインターホン機能自体に関する対応の変更である。言い換えると、処理制御部１３１は、評価情報に基づいて、インターホン機能自体に関する対応を変更する。
【００６４】
第１変更は、親機２に関する変更である。処理制御部１３１は、評価情報（第１評価情報、及び第２評価情報の少なくとも一方）に基づいて、親機２を制御して、第１変更を実行する。第１変更は、親機２における呼出の実行又は非実行に関する変更を含み得る。
【００６５】
具体的には、例えば、処理制御部１３１は、評価情報の評価結果が第３評価である場合、親機２における呼出を非実行とし、評価情報の評価結果が第３評価以外の評価である場合、親機２における呼出を実行させる。評価情報の評価結果が第３評価であり、呼出が非実行とされた場合、親機２は、表示部１８によるポップアップ表示として、その旨を通知することが望ましい。子機１は、例えば、第１変更に関する指示（呼出の実行又は非実行）を呼出信号に含めて親機２に送信する。
【００６６】
また第１変更は、親機２における注意喚起の実行又は非実行に関する変更を含み得る。注意喚起は、住人に対して、来訪者Ｈ１に関する注意を促すためのものである。注意喚起は、親機２の表示部２２からの表示により実行されてもよいし、親機２の通知部２７から音声出力として実行されてもよい。また注意喚起は、特定の音色によって行われてもよく、例えば通常と異なる呼出音が出力されてもよい。
【００６７】
具体的には、例えば、処理制御部１３１は、評価情報の評価結果が第３評価である場合、来訪者Ｈ１が迷惑な来訪者であることを、親機２の表示部２２によるポップアップ表示として通知する。処理制御部１３１は、評価情報の評価結果が第３評価以外の評価であっても、来訪者Ｈ１がどの種の人物であるか（家族、親戚、知人、配達業者等の別）を、親機２の表示部２２によるポップアップ表示として通知してもよい。表示部２２による注意喚起は、親機２にて呼出中に、第１評価情報に基づき実行されることが望ましい。ただし、表示部２２による注意喚起は、親機２にて通話中に、第２評価情報に基づき実行されてもよい。
【００６８】
注意喚起が第１評価情報に基づき実行される場合、子機１は、第１変更に関する指示（注意喚起の実行又は非実行）を呼出信号に含めて親機２に送信する。注意喚起が第２評価情報に基づき実行される場合、子機１は、第１変更に関する指示（注意喚起の実行又は非実行）を、呼出信号とは別の送信タイミングで、親機２に送信する。
【００６９】
第２変更は、子機１に関する変更である。処理制御部１３１は、評価情報（第１評価情報、及び第２評価情報の少なくとも一方）に基づいて、第２変更を実行する。第２変更は、子機１の表示部１８における表示内容の変更を含み得る。また第２変更は、子機１の通話部１９のスピーカから出力される出力内容の変更を含み得る。
【００７０】
具体的には、例えば、処理制御部１３１は、評価情報の評価結果が第３評価である場合、来訪者Ｈ１に対して、ダミーで呼出中である旨を、子機１の表示部１８又は通話部１９のスピーカから通知する（ダミー通知）。そして、処理制御部１３１は、ダミー通知の開始から一定時間が経過した後に、呼出先の住人が留守である旨や、取り次ぎ出来ない旨を子機１の表示部１８又は通話部１９のスピーカから通知する。
【００７１】
第３変更は、制御装置３に関する変更である。処理制御部１３１は、評価情報（第１評価情報、及び第２評価情報の少なくとも一方）に基づいて、第３変更を実行する。第３変更は、制御装置３の表示モニタ（表示ランプでもよい）における表示内容の変更を含み得る。また第３変更は、制御装置３のスピーカから出力される出力内容の変更を含み得る。
【００７２】
具体的には、例えば、処理制御部１３１は、評価情報の評価結果が第３評価である場合、来訪者Ｈ１が迷惑な来訪者であることを、制御装置３の表示モニタ等から通知する。制御装置３の表示モニタには、例えば、対応する住戸Ｅ１側で呼出が無効化された旨が出力されることが望ましい。
【００７３】
処理制御部１３１は、評価情報の評価結果が第３評価以外の評価であっても、制御装置３の表示モニタ等から通知させてもよい。
【００７４】
なお、この第３変更により制御装置３に対して実行される上記内容は、後述する第４変更において情報端末５０に対しても同様に実行されてもよい。
【００７５】
ところで、処理制御部１３１は、評価情報に基づいて、インターホン機能以外の外部機能に関する対応を変更してもよい（以下、「第４変更」と呼ぶ）。
【００７６】
第４変更は、例えば、施設１００にある共用玄関のドア７における電気錠装置７０（図１）の解錠の実行、又は施錠維持に関する変更を含み得る。処理制御部１３１は、例えば、評価情報の評価結果が第１評価又は第２評価である場合、電気錠装置７０の解錠を実行させるように、解錠信号を電気錠装置７０に送信してもよい。この場合、第１変更における呼出も非実行でとし、代わりに、来訪者が例えば家族のため呼出をせずに電気錠装置７０を解錠した旨を、住人に通知してもよい。
【００７７】
また第４変更は、住人が携帯する１又は複数（ここでは１つ）の情報端末５０（図２参照）に対する通知の実行又は通知の非実行に関する変更を含み得る。
【００７８】
以下、先に、情報端末５０について説明する。情報端末５０は、例えば、携帯電話機、スマートフォン、又はタブレット等の、通信可能な携帯型の端末である。情報端末５０は、近距離無線通信を利用し、住戸Ｅ１内のルータ６０（図２参照）を介して親機２と通信を行う専用のアプリケーションソフト（第１通信アプリケーションソフト）をインストールしている。情報端末５０を携帯する住人が宅内に居る場合、情報端末５０は、第１通信アプリケーションソフトを起動することにより、親機２と通信を行う。
【００７９】
また情報端末５０は、インターネット等の公衆網ＮＴ１、サーバ装置２５０、及びルータ６０を介して、親機２（又は制御装置３）と通信を行う専用のアプリケーションソフト（第２通信アプリケーションソフト）をインストールしている。情報端末５０を携帯する住人が宅外に居る場合、情報端末５０は、第２通信アプリケーションソフトを起動することにより、親機２（又は制御装置３）と通信を行う。親機２（又は制御装置３）には、情報端末５０の識別情報（電話番号、Ｍａｃアドレス情報等）が予め登録されている。住人の所在が宅内か宅外かについて、例えば、上述した親機２の「不在ボタン」を用いた申告により管理されてもよい。なお、図２は、一例として、情報端末５０を携帯する住人が宅外に居る場合における、情報端末５０及び親機２間の通信を示す。
【００８０】
そして、子機１は、各住戸Ｅ１内の親機２（又は制御装置３）を介して、予め登録されている情報端末５０と通信可能である。子機１は、親機２（又は制御装置３）を介さずに、例えば直接ゲートウェイ３００から情報端末５０と通信可能であってもよい。処理制御部１３１は、例えば、評価情報の評価結果が第３評価である場合、呼出先の住戸Ｅ１内の親機２（又は制御装置３）を介して、来訪者Ｈ１が迷惑な来訪者であることを含む通知信号を情報端末５０に送信し、情報端末５０からその旨を通知させる。情報端末５０が宅外に存在する場合、親機２は、ルータ６０を介して、識別情報と共に通知信号をサーバ装置２５０に送信し、サーバ装置２５０は、受け取った識別情報に対応する情報端末５０に通知信号を送信する。情報端末５０が宅外に存在する場合、制御装置３が、ゲートウェイ３００を介して、識別情報と共に通知信号をサーバ装置２５０に送信し、サーバ装置２５０は、受け取った識別情報に対応する情報端末５０に通知信号を送信してもよい。
【００８１】
子機１は、上記の通知信号以外に、住戸Ｅ１内の親機２（又は制御装置３）を介して、情報端末５０へ呼出信号や、映像信号等を送信する。情報端末５０を携帯する住人が宅内に居る場合、親機２は、ルータ６０を介して、呼出信号を情報端末５０に送信する。情報端末５０を携帯する住人が宅外に居る場合、親機２は、ルータ６０を介して、識別情報と共に呼出信号をサーバ装置２５０に送信し、サーバ装置２５０は、受け取った識別情報に対応する情報端末５０に呼出信号を送信する。情報端末５０を携帯する住人が宅外に居る場合、制御装置３は、ゲートウェイ３００を介して、識別情報と共に呼出信号をサーバ装置２５０に送信し、サーバ装置２５０は、受け取った識別情報に対応する情報端末５０に呼出信号を送信してもよい。したがって、来訪者Ｈ１が子機１から呼出を実行すれば、情報端末５０にも呼出音が出力され、住人は、情報端末５０を用いて、宅内でも宅外でも、来訪者Ｈ１の映像を見ながら、通話が可能である。ただし、処理制御部１３１は、例えば、評価情報の評価結果が第３評価である場合、第１変更における親機２と同様に、情報端末５０への呼出を非実行とし、評価情報の評価結果が第３評価以外の評価である場合、情報端末５０への呼出を実行させる。
【００８２】
このように第１〜第３変更に関する処理が行われることで、インターホン機能を利用して迷惑な来訪者に対する防衛策を、実施できる。また第４変更に関する処理が行われることで、インターホン機能以外の外部機能を利用して迷惑な来訪者に対する防衛策を、実施できる。
【００８３】
ところで、ここでは処理制御部１３１は、子機１（通話装置）を用いて呼出中、又は通話中にある来訪者Ｈ１（実行者）の単位で個別に、対応を変更する。しかし、処理制御部１３１は、来訪者Ｈ１の単位で対応を変更しなくてもよく、第１〜第４変更のうちの少なくとも１つについては、来訪者Ｈ１の評価に関わらず、全ての来訪者Ｈ１に対して共通の対応を呈してもよい。例えば、第１変更において、来訪者Ｈ１の評価に関わらず、必ず親機２から注意喚起が実行されてもよい。ただし、来訪者Ｈ１の単位で個別に対応を変更する方が、防衛策がより向上される。
【００８４】
（２．２．４）子機側制御部の項目設定部
項目設定部１３２は、評価項目を設定する。取得部１３０は、項目設定部１３２で設定された評価項目に対応する評価情報を取得する。ここでいう評価項目は、例えば、大項目と小項目の２種類に分類される。
【００８５】
評価項目の設定に関する操作は、例えば、子機１で実行可能であるが、各住戸の親機２又は制御装置３でも実行可能でもよい。例えば、施設１００の管理人又はインターホンシステム１０の施工者のみが知るセキュアレベルの高い特定の操作入力を、表示部１８又は子機側操作部１４に対して行うことで、表示部１８は、評価項目の設定画面を表示する。評価項目の設定者は、当該設定画面を通じて、評価項目の設定が行える。評価項目は、各住戸Ｅ１の単位で個別設定できてもよいし、施設１００の単位で一括設定できてもよい。
【００８６】
大項目の種類は、「画像」及び「音声」等を含む。例えば上記設定画面にて評価項目の大項目として「画像」が選択されると、項目設定部１３２は、「大項目：画像」を設定する。評価項目の大項目が「画像」に設定された情報は、記憶部１６に記憶される。子機側制御部１３は、サーバ装置２００に来訪者Ｈ１対する評価を要求する際に、記憶部１６を参照する。そして、子機側制御部１３は、項目設定部１３２により設定された大項目が「画像」であることを確認すると、撮像部１１で撮像された来訪者Ｈ１の画像を含む画像データをサーバ装置２００に転送して、来訪者Ｈ１の画像に対する評価を要求する。
【００８７】
また設定された大項目が「音声」であれば、子機側制御部１３は、来訪者Ｈ１の音声を含む音声データの両方をサーバ装置２００に転送して、来訪者Ｈ１の音声に対する評価を要求する。また設定された大項目が「画像」及び「音声」の両方であれば、子機側制御部１３は、画像データと音声データの両方をサーバ装置２００に転送して、来訪者Ｈ１の画像と音声の両方に対する評価を要求する。
【００８８】
なお、子機１が、設定された大項目に応じて評価の要求時に転送するデータを選別する代わりに、サーバ装置２００が、設定された大項目に応じて評価を行なってもよい。
【００８９】
小項目は、各大項目における更に詳細な項目である。大項目「画像」における小項目の種類は、例えば、「性別」、「年齢別」、「身長」、「服装」、及び「来訪時間帯」等を含み得る。大項目「音声」における小項目の種類は、例えば、「性別」、「年齢別」、及び「来訪時間帯」等を含み得る。
【００９０】
小項目は、来訪者Ｈ１の評価機能を有さない子機１で判断できない項目（年齢別等）も存在し得る。そのため、子機１は、設定された小項目の情報を含めて、サーバ装置２００に評価を要求する。例えば、設定された小項目が「年齢別（成人）」である場合、サーバ装置２００は、画像（又は音声）から来訪者Ｈ１が成人と評価した場合だけ、更なる詳細な評価を実行し、評価情報（第１評価〜第４評価のいずれかを含む）を子機１に返す。サーバ装置２００は、もし来訪者Ｈ１が子供と評価した場合、第４評価として評価情報を子機１に返す。あるいは子機側制御部１３は、サーバ装置２００から受信した評価情報において、年齢の評価が成人である場合だけ、サーバ装置２００からの評価情報を採用してもよい。そして、年齢の評価が子供であれば、子機側制御部１３は、サーバ装置２００からの評価情報がたとえ第３評価であっても、第４評価として対処してもよい。
【００９１】
要するに、設定された小項目が「年齢別（成人）」である場合、年齢の評価が子供であれば、第３評価に対して実施される非呼出や注意喚起の対象から除外される。同様に、設定された小項目が「性別（男性）」である場合、性別の評価が女性であれば、第３評価に対して実施される非呼出や注意喚起の対象から除外される。また、設定された小項目が「身長（１５０ｃｍ以上）」である場合、身長が１５０ｃｍ未満であれば、第３評価において実施される非呼出や注意喚起の対象から除外される。また、設定された小項目が「服装（スーツ）」である場合、来訪者Ｈ１の服装がスーツでなければ、第３評価において実施される非呼出や注意喚起の対象から除外される。さらに、設定された小項目が「来訪時間帯（午前９：００〜午後１８：００）」である場合、来訪時刻が午後１９時であれば、第３評価に対して実施される非呼出や注意喚起の対象から除外される。
【００９２】
このように項目設定部１３２が設けられていることで、評価情報に関するフィルタリングを行える。
【００９３】
（２．２．５）子機側制御部の対応設定部
対応設定部１３３は、対応の変更に関する有効及び無効を設定する。要するに、対応設定部１３３は、処理制御部１３１が評価情報に基づいて実施する第１〜第４変更に関する有効及び無効を設定する。第１〜第４変更は、１つ１つ個別に有効か無効かを設定できてもよいし、これらを全て一括で有効か無効かを設定できてもよい。
【００９４】
有効及び無効の設定に関する操作は、例えば、子機１で実行可能であるが、各住戸の親機２又は制御装置３でも実行可能でもよい。例えば、施設１００の管理人又はインターホンシステム１０の施工者のみが知るセキュアレベルの高い特定の操作入力を、表示部１８又は子機側操作部１４に対して行うことで、表示部１８は、有効及び無効の設定画面を表示する。設定者は、当該設定画面を通じて、第１〜第４変更に関する有効及び無効を設定が行える。有効及び無効は、各住戸Ｅ１の単位で個別設定できてもよいし、施設１００の単位で一括設定できてもよい。
【００９５】
第１〜第４変更の「有効」とは、処理制御部１３１が、上の「（２．２．３）子機側制御部の処理制御部」の欄で説明したように、評価情報に基づいて、第１〜第４変更に関する処理を実行することである。
【００９６】
一方、第１〜第４変更の「無効」とは、処理制御部１３１が、上記処理を実行しないことである。例えば、第１変更が「無効」に設定されると、子機１は、無条件で全ての来訪者Ｈ１に対して、親機２に呼出を実行させて、親機２で注意喚起を行わない。あるいは、子機１は、例えば、無条件で第４評価に相当する処理を実行してもよい。
【００９７】
このように対応設定部１３３が設けられていることで、対応の変更に関する有効及び無効を設定できるため、利便性が向上される。
【００９８】
（２．２．６）子機側制御部の出力部
出力部１３４は、評価情報を出力する。出力部１３４は、例えば、サーバ装置２００から受信した評価情報を、子機１以外の機器（親機２、制御装置３、情報端末５０、及びサーバ装置２５０等）に出力する。出力部１３４は、来訪者Ｈ１が施設１００に訪れる度に、評価情報を出力してもよいし、複数の評価情報を記憶部１６にプールして定期的（例えば、１日１回、又は１ヶ月に１回等）に出力してもよい。
【００９９】
このように出力部１３４が設けられていることで、出力先において評価情報の利用が可能となる。
【０１００】
（２．３）親機の構成
次に、親機２の構成について説明する。親機２は、図１に示すように、親機側伝送部２１と、表示部２２と、親機側制御部２３と、親機側操作部２４と、映像処理部２５と、記憶部２６と、通知部２７と、を有している。さらに、親機２は、子機１及びドアホン４との間で通話を実現するための通話部２９（スピーカ及びマイクロホンを含む）等を有している。
【０１０１】
親機側伝送部２１は、子機１及びドアホン４と通信するための通信インタフェースである。親機側伝送部２１は、第２幹線６２、分岐線６３及び分岐器５を介して制御装置３に接続されている。図１では、第２幹線６２及び分岐線６３を１本の線で示している。親機側伝送部２１は、制御装置３の通信部３２を介して、子機１との間で双方向に通信可能に構成されている。親機側伝送部２１は、子機１に対して通信信号を送信するように構成されている。通信信号には、音声信号及び制御信号等が含まれている。また、親機側伝送部２１は、通信部３２を介して子機１から送信される通信信号を受信し、受信した通信信号を復調することで音声信号及び映像信号等を取得する。音声信号は、親機側制御部２３を介して通話部２９へ出力され、映像信号は、親機側制御部２３を介して表示部２２へ出力される。
【０１０２】
表示部２２は、映像処理部２５からの映像（例えば子機１の撮像部１１で撮像された映像）を表示するように構成されている。表示部２２は、例えば液晶ディスプレイである。親機２がタッチパネルディスプレイを備えている場合には、タッチパネルディスプレイが表示部２２と親機側操作部２４とを兼ねてもよい。
【０１０３】
親機側操作部２４は、人（例えば住人）の操作を受け付けるように構成されている。親機側伝送部２１が住人を呼び出すための呼出信号を受信している状態で、親機側操作部２４に対して所定の操作（例えば通話ボタンの押し操作）が行われると、子機１と親機２との間で音声通話が可能な状態となる。
【０１０４】
映像処理部２５は、親機側伝送部２１にて受信した子機１からの映像信号を受けて、信号処理により映像信号に含まれる映像を処理するように構成されている。映像処理部２５は、例えば、複数の映像を合成する合成処理を行うように構成されている。本実施形態では、映像処理部２５は、合成処理において、リアルタイムの映像である第１映像と、過去の映像である第２映像とを合成して１つの映像を作成する。映像処理部２５は、例えば、ＤＳＰ又はＦＰＧＡ等のデバイスにて実現される。
【０１０５】
親機側制御部２３は、例えば、コンピュータシステムを含んでいる。コンピュータシステムは、ハードウェアとしての１以上のプロセッサ及び１以上のメモリを主構成とする。コンピュータシステムの１以上のメモリに記録されたプログラムを１以上のプロセッサが実行することによって、親機側制御部２３の機能が実現される。プログラムは、コンピュータシステムの１以上のメモリに予め記録されている。なお、プログラムは、電気通信回線を通じて提供されてもよいし、コンピュータシステムで読み取り可能なメモリカード、光学ディスク、ハードディスクドライブ等の非一時的記録媒体に記録されて提供されてもよい。
【０１０６】
親機側制御部２３は、親機側伝送部２１及び表示部２２を制御するように構成されている。さらに、親機側制御部２３は、映像処理部２５を制御するように構成されている。親機側制御部２３は、親機側伝送部２１を制御することによって、親機側伝送部２１に子機１への通信信号を送信させ、かつ親機側伝送部２１に子機１からの通信信号を受信させる。子機１への通信信号には、音声信号及び制御信号等が含まれている。また、子機１からの通信信号には、音声信号、映像信号及び制御信号等が含まれている。
【０１０７】
親機側制御部２３は、表示部２２を制御することによって、子機１から送られてくる映像を表示部２２に表示させる。例えば、親機側制御部２３は、表示部２２の表示画面において、リアルタイムの映像である第１映像を大きく表示させ、過去の映像である第２映像を小さく表示させる。
【０１０８】
記憶部２６は、ＲＯＭ、ＲＡＭ、又はＥＥＰＲＯＭ等から選択されるデバイスで構成される。記憶部２６は、子機１から受信した第１映像及び第２映像を記憶する。記憶部２６は、親機側制御部２３の外部に設けられているが、親機側制御部２３の内部に設けられていてもよく、親機側制御部２３の内蔵メモリであってもよい。
【０１０９】
通知部２７は、例えば呼出音を出力するように構成されている。親機側制御部２３は、子機１からの呼び出しがあると、通知部２７に呼出音を出力させる。
【０１１０】
ここで親機側制御部２３は、子機１（処理制御部１３１）から受信する、第１変更に関する指示に従って、呼出の実行又は呼出の非実行を行う。第１変更に関する指示は、子機１から受信する呼出信号（又は指示信号）に含まる。親機側制御部２３は、第１変更に関する指示の内容が、呼出の非実行を示すものであれば、たとえ呼出信号を受信しても、呼出を実行しない。この場合、親機側制御部２３は、来訪者Ｈ１が迷惑な来訪者であったために呼出を非実行に（無効化）した旨を、表示部２２にポップアップ表示させる。
【０１１１】
また親機側制御部２３は、第１変更に関する指示の内容が、注意喚起の実行を示すものであれば、注意喚起を示すメッセージのポップアップ表示を、表示部２２に行わせる。あるいは、親機側制御部２３は、注意喚起を示すメッセージの音声出力を、通知部２７に行わせる。
【０１１２】
また親機側制御部２３は、音声出力の代わりに、通常の呼出音と異なる呼出音の出力を通知部２７に行わせてもよい。例えば、第３評価以外の評価の場合の（通常の）呼出音が「ポロロン、ポロロン」とすると、第３評価の場合の呼出音は、「ポロン・・・ポロン・・・」でもよい。注意喚起に関する出力は、通話部２９のスピーカから行われてもよい。これらのメッセージデータ及び呼出音データは、記憶部２６又は内蔵メモリに記憶される。また第１変更に関する指示の履歴データも、記憶部２６又は内蔵メモリに記憶され、住人は、表示部２２で、履歴データの一覧（例えば来訪者Ｈ１が来訪した日時、来訪者Ｈ１の映像、及び来訪者Ｈ１に対する評価結果等）を確認できることが望ましい。
【０１１３】
また親機側制御部２３は、上述の通り、呼出中及び通話中のうちの少なくとも一方の最中に、表示部２２に、来訪者Ｈ１の映像に重ねて、「高評価ボタンＲ１」及び「低評価ボタンＲ２」を画像表示させてもよい。親機側制御部２３は、住人からの手動評価情報を含む信号を子機１に送信する。手動評価情報は、直ちに子機１の側で、第１〜第４変更に反映されてもよい。例えば、子機１は、呼出中に、低評価を示す手動評価情報を親機２から受信すれば、直ちに、呼出先の住人が留守である旨を、子機１の表示部１８又は通話部１９のスピーカから通知できる。手動評価情報は、子機１からサーバ装置２００に送信されることで、サーバ装置２００における次回以降の評価処理に反映される。
【０１１４】
（２．４）制御装置の構成
次に、制御装置３の構成について説明する。制御装置３は、図１に示すように、信号処理部３１と、通信部３２と、を有している。
【０１１５】
通信部３２は、子機１及び親機２と通信するための第１通信インタフェースを含む。通信部３２は、第１幹線６１を介して子機１に接続されている。また、通信部３２は、第２幹線６２、分岐線６３及び分岐器５を介して親機２に接続されている。通信部３２は、子機１の子機側伝送部１２との間で双方向に通信可能に構成されている。また、通信部３２は、親機２の親機側伝送部２１との間で双方向に通信可能に構成されている。つまり、通信部３２は、親機側伝送部２１と子機側伝送部１２との間の通信を中継するように構成されている。したがって、通信部３２は、子機１の子機側伝送部１２から送信される通信信号を中継して複数台の親機２に送信する。ここで、子機１から送信される通信信号には、送信先となる親機２を特定するための情報（例えばアドレス等）が含まれている。このため、複数台の親機２のうち自己に割り当てられたアドレスと通信信号に含まれるアドレスとが一致する親機２のみが通信信号を受信することができる。また、通信部３２は、複数台の親機２の各々から送信される通信信号を中継して子機１に送信する。
【０１１６】
また通信部３２は、サーバ装置２００と通信するための第２通信インタフェースを含む。ゲートウェイ３００は、公衆網ＮＴ１と接続されていて、通信部３２は、ゲートウェイ３００及び公衆網ＮＴ１を介して、サーバ装置２００と通信する。
【０１１７】
信号処理部３１は、例えば、コンピュータシステムを含んでいる。コンピュータシステムは、ハードウェアとしての１以上のプロセッサ及び１以上のメモリを主構成とする。コンピュータシステムの１以上のメモリに記録されたプログラムを１以上のプロセッサが実行することによって、信号処理部３１の機能が実現される。プログラムは、コンピュータシステムの１以上のメモリに予め記録されている。なお、プログラムは、電気通信回線を通じて提供されてもよいし、コンピュータシステムで読み取り可能なメモリカード、光学ディスク、ハードディスクドライブ等の非一時的記録媒体に記録されて提供されてもよい。
【０１１８】
信号処理部３１は、通信部３２を制御するように構成されている。具体的には、信号処理部３１は、通信部３２を制御することによって、子機１から送信される通信信号を複数台の親機２に送信させ、かつ複数台の親機２の各々から送信される通信信号を子機１に送信させる。
【０１１９】
また信号処理部３１は、通信部３２を制御することによって、子機１から送信される評価要求信号を、ゲートウェイ３００及び公衆網ＮＴ１を介して、サーバ装置２００に送信させる。さらに信号処理部３１は、通信部３２を制御することによって、サーバ装置２００から送信される応答信号を、子機１に送信させる。
【０１２０】
ここで制御装置３は、子機１から受信する、第３変更に関する指示を含む指示信号に従って、例えば来訪者Ｈ１が迷惑な来訪者であることを、制御装置３の表示モニタ等から通知する。したがって、制御装置３の在る管理室では、施設１００の管理人が、制御装置３の表示モニタ等からの通知を受けて、そのような来訪者Ｈ１の存在を知ることができる。管理人は、住人に代わって、直接来訪者Ｈ１への応答を実施でき、また外部（例えばセキュリティ会社等）に連絡することができる。
【０１２１】
（２．５）サーバ装置（評価処理）
（２．５．１）サーバ装置の全体構成
以下、サーバ装置２００の構成について説明する。サーバ装置２００は、図１に示すように、通信部２０１と、評価部２０２と、記憶部２０３（蓄積部）と、を有している。サーバ装置２００は、図２に図示されるサーバ装置２５０と同一の装置でもよいし、別の装置でもよい。サーバ装置２００は、例えば、クラウド（クラウドコンピューティング）を構築してもよい。サーバ装置２００の評価部２０２は、ディープラーニング等によって応答の最適解を常に機械学習するように構成されてもよい。
【０１２２】
通信部２０１は、１又は複数（ここでは複数とする）の施設１００における子機１と通信するための通信インタフェースである。通信部２０１は、公衆網ＮＴ１に接続されている。通信部２０１は、公衆網ＮＴ１、施設内のゲートウェイ３００、及び制御装置３を介して、子機１と通信可能である。サーバ装置２００は、通信部２０１を介して、子機１から評価要求信号を受信し、評価要求信号に対する応答信号を子機１に送信する。
【０１２３】
評価部２０２は、評価処理を実行する。評価部２０２は、例えば、コンピュータシステムを含んでいる。コンピュータシステムは、ハードウェアとしての１以上のプロセッサ及び１以上のメモリを主構成とする。コンピュータシステムの１以上のメモリに記録されたプログラムを１以上のプロセッサが実行することによって、評価部２０２の機能が実現される。プログラムは、コンピュータシステムの１以上のメモリに予め記録されている。なお、プログラムは、電気通信回線を通じて提供されてもよいし、コンピュータシステムで読み取り可能なメモリカード、光学ディスク、ハードディスクドライブ等の非一時的記録媒体に記録されて提供されてもよい。
【０１２４】
評価部２０２は、子機１から受信する評価要求信号に基づいて、来訪者Ｈ１に対する評価（第１〜第４評価のいずれか）を求める。
【０１２５】
記憶部２０３（蓄積部）は、ＲＯＭ、ＲＡＭ、又はＥＥＰＲＯＭ等から選択されるデバイスで構成される。記憶部２０３は、後述する種々の情報を記憶する。記憶部２０３（蓄積部）は、対象情報（ここでは一例として評価情報を含む）を蓄積する。
【０１２６】
ところで、来訪者Ｈ１が迷惑な来訪者である場合、近隣の複数の施設１００にわたって訪問する可能性が高い。そこでサーバ装置２００は、各々に子機１（通話装置）が設けられた複数の施設１００から、来訪者Ｈ１（実行者）に関する情報を取得して少なくとも複数の施設１００間で共有化する。
【０１２７】
具体的には、サーバ装置２００は、自機が管理する複数の施設１００の子機１から来訪者Ｈ１の情報を収集して記憶部２０３に記憶（蓄積）し、さらに、自機が収集した来訪者Ｈ１の情報を、別の複数の施設１００を管理する別のサーバ装置へ配信する。一方、サーバ装置２００は、当該別のサーバ装置が収集した来訪者Ｈ１の情報を、当該別のサーバ装置から受信して記憶部２０３に記憶する。以下、この共有化された情報を「蓄積共有情報」と呼ぶ。蓄積共有情報は、多数の来訪者Ｈ１の画像データ、音声データ、及び、評価情報（自動評価情報及び手動評価情報を含む）等を含む。蓄積共有情報は、時間経過と共にその情報量は増加し、また精度の高い情報に更新され得る。またインターホンシステム１０が導入される施設１００が増えるほど、蓄積共有情報の情報量は増加する。
【０１２８】
そして、サーバ装置２００は、例えば自機が管理する、ある施設１００の子機１から評価要求信号を受信すると、蓄積共有情報を参照した上で評価情報を確定し、応答信号として子機１に返す。
【０１２９】
（２．５．２）音声データの評価
以下、受信した評価要求信号が音声データを含む場合において、評価部２０２の動作を説明する。評価部２０２は、音声データに基づく来訪者Ｈ１の評価処理として、第１〜第４の処理ステップを含む。ただし、これらの処理ステップの順番は、特に限定されない。またこれらの処理ステップの少なくとも１つが省略されてもよい。
【０１３０】
第１の処理ステップでは、評価部２０２は、音声データをテキストデータに変換する。第１の処理ステップは、サーバ装置２００で行わなくてもよく、子機１又は制御装置３で行われてもよい。言い換えると、評価要求信号は、音声データに加えて、変換後のテキストデータを更に含んでもよい。
【０１３１】
第２の処理ステップでは、評価部２０２は、テキストデータに、特定のキーワードが含まれているか否かを確認する。そして、評価部２０２は、含まれている特定のキーワードの種類に応じて、評価の推定を図る。特定のキーワードは、記憶部２０３に記憶される。
【０１３２】
特定のキーワードは、営業又は勧誘目的を連想するような低評価キーワードを含み得る。また特定のキーワードは、言葉遣いの品位の低い低評価キーワードを含み得る。テキストデータに低評価キーワードが含まれていれば、評価部２０２は、来訪者Ｈ１が、第３評価に値する人物である可能性が高いという（評価の）重み付けをする。
【０１３３】
特定のキーワードは、住人の名前（ファーストネーム）等の高評価キーワードを含み得る。また特定のキーワードは、親睦性の高い高評価キーワードを含み得る。テキストデータに高評価キーワードが含まれていれば、評価部２０２は、来訪者Ｈ１が第１評価に値する人物である可能性が高いという重み付けをする。
【０１３４】
特定のキーワードは、配達等を連想するような中評価キーワードを含み得る（例えば配達会社の名前）。テキストデータに中評価キーワードが含まれていれば、評価部２０２は、来訪者Ｈ１の評価を第２評価に値する人物である可能性が高いという重み付けをする。
【０１３５】
テキストデータにいずれの特定のキーワードも含んでいなければ、評価部２０２は、来訪者Ｈ１の評価を第４評価に値する人物である可能性が高いという重み付けをする。
【０１３６】
特定のキーワードは、随時更新されてもよい。サーバ装置２００は、公衆網ＮＴ１に接続されている様々なプラットフォーム上のサービスを利用可能となっている。サーバ装置２００は、プラットフォーム上のサービスを利用して、最新のキーワードをダウンロードして、特定のキーワードの追加、削除、及び修正を行なってもよい。
【０１３７】
第３の処理ステップでは、評価部２０２は、音声データから声紋分析を行う。評価部２０２は、音声データから、性別、年齢、身長、及び体調等を判定してもよい。サーバ装置２００は、第３の処理ステップで判定された性別や年齢等の判定結果を、評価情報に含めて応答信号として子機１に送信してもよい。特に、評価部２０２は、蓄積共有情報に基づき、評価の重み付けをする。評価部２０２は、例えば、蓄積共有情報内に、受信した音声データと合致するものが存在するか否かを判定する。評価部２０２は、来訪者Ｈ１の音声データに合致する音声データが蓄積共有情報内に存在すれば、当該音声データに紐づけされた評価情報を参照する。評価部２０２は、音声データだけでなく、来訪時間帯の情報も参照することが望ましい。
【０１３８】
第４の処理ステップでは、評価部２０２は、手動評価情報（相手情報）に基づき、評価の重み付けをする。評価部２０２は、受信した評価要求信号に手動評価情報が含まれていれば、その手動評価情報を重視して評価の重み付けをする。また評価部２０２は、第３の処理ステップで来訪者Ｈ１の音声データに合致する音声データが蓄積共有情報内に存在すれば、当該音声データに紐づけされた手動評価情報を参照して評価の推定を図る。
【０１３９】
（２．５．３）画像データの評価
以下、評価要求信号が画像データを含む場合における評価部２０２の動作を説明する。画像データに基づく来訪者Ｈ１の評価処理は、例えば、以下の第５〜第６の処理ステップを含むが、上述した音声データに関する処理ステップのいずれかが、画像データに基づく評価処理でも適用されてよい。
【０１４０】
第５の処理ステップでは、評価部２０２は、例えば、画像データから画像分析を行う。画像データが来訪者Ｈ１の顔画像を含む場合、評価部２０２は、画像データから、性別、年齢、身長、及び体調等を判定してもよい。また評価部２０２は、画像データが来訪者Ｈ１の服装の画像を含む場合、来訪者Ｈ１が着用する制服や帽子に関する情報（色、柄等）を抽出する。また評価部２０２は、制服又は帽子等に付いている（例えば配達会社特有の）シンボルマークに関する情報等を抽出する。
【０１４１】
第６の処理ステップでは、評価部２０２は、来訪者Ｈ１の顔画像認証を行う。評価部２０２は、蓄積共有情報を参照して、受信した来訪者Ｈ１の顔画像と合致する人物の顔画像が蓄積共有情報内に存在すれば、当該人物に紐づけされた評価情報を参照して、評価の重み付けをする。また評価部２０２は、第５の処理ステップで判定された性別、年齢、身長、及び体調等、並びに、服装及びシンボルマーク等の抽出情報を基に、蓄積共有情報内に合致する情報の有無を検索して評価の推定を図る。
【０１４２】
蓄積共有情報は、配達業者の配達予定スケジュールを含んでもよい。サーバ装置２００は、予め配達会社が管理するサーバから（住人の親機２又は情報端末５０からでもよい）、配達予定の配達業者を特定可能な情報、及び配達予定時刻等を受信してもよい。評価部２０２は、蓄積共有情報内の配達予定スケジュールを参照して、評価の推定を図ってもよい。
【０１４３】
（２．５．４）評価情報の確定
評価部２０２は、上述した第１〜第６の処理ステップで評価した結果（重み付け）に基づき、来訪者Ｈ１の総合的な評価を行い、第１〜第４評価のいずれに該当するかを確定する。そして、評価部２０２は、確定した第１〜第４評価のいずれかを含む評価情報を、子機１へ応答信号として子機１に返す。
【０１４４】
また評価部２０２は、受信した音声データ及び手動評価情報、並びに、確定した評価情報等を用いて、蓄積共有情報を最新の状態へ更新する。
【０１４５】
（２．６）インターホンシステムの動作
以下、インターホンシステム１０の動作について説明する。
【０１４６】
［動作例１］
まず来訪者Ｈ１が、一例として、迷惑な来訪者である場合について、図５を参照しながら説明する。ここでは、子機１が、呼出先の呼出を実行する来訪者Ｈ１に関する評価を含む第１評価情報を取得した場合における動作に焦点を当てて説明する。
【０１４７】
子機１のセンサ１７が、来訪者Ｈ１を検出する（ステップＳ１）。子機１は、来訪者Ｈ１の検出に応じて、撮像部１１を起動し、来訪者Ｈ１の撮像を開始する（ステップＳ２）。ただし、上述の通りセンサ１７は、必須の構成要素ではなく、例えば撮像部１１が常時稼働していれば、このステップは省略されてもよい。子機１は、表示部１８の表示画面に、撮像中の来訪者Ｈ１の映像を重ねて案内画面を出力する。
【０１４８】
来訪者Ｈ１は、案内画面に従い呼出先となる住戸Ｅ１の部屋番号を入力し、最後に呼出ボタンを押すことで（ステップＳ３）、子機１は、部屋番号の入力を確定する。ここで子機１は、来訪者Ｈ１の撮像により得られた画像（例えば呼出ボタンが押された瞬間の静止画）の画像データを含む評価要求信号を、制御装置３を経由して、サーバ装置２００に送信する（ステップＳ４）。子機１は、サーバ装置２００から自動評価情報を受信するまで、実際には親機２の呼出の実行を保留にしているが、来訪者Ｈ１には「お取り次ぎ中です」といったメッセージを、表示部１８から通知する。
【０１４９】
サーバ装置２００は、評価処理を実行する（ステップＳ５）。評価要求信号は、画像データを含むため、サーバ装置２００の評価部２０２は、画像分析（主に第５〜第６の処理ステップ）を行う。
【０１５０】
サーバ装置２００は、自動評価情報（第１〜第４評価のいずれか）を決定すると、自動評価情報を含む応答信号を、制御装置３を経由して、子機１に送信し（ステップＳ６）、さらに蓄積共有情報を更新する（ステップＳ７：蓄積ステップ）。ここでは、自動評価情報が第３評価である。
【０１５１】
子機１は、サーバ装置２００から、来訪者Ｈ１（実行者）に関する評価を含む自動評価情報（評価情報）を取得する（取得ステップ）。子機１は、自動評価情報に基づき、インターホンシステム１０の利用者に対する対応を変更する（処理制御ステップ）。
【０１５２】
子機１は、第１変更を指示する指示信号を親機２に送信する（ステップＳ８）。子機１は、第１変更として、親機２の呼出を非実行に変更する（つまり呼出音を出力させない）。また子機１は、第１変更として、呼出を非実行にした旨（理由も含む）を親機２の表示部２２に表示する（ステップＳ９）。
【０１５３】
子機１は、第２変更として、例えば、来訪者Ｈ１に対して、呼出先の住人が留守である旨を表示部１８から通知する（ステップＳ１０）。
【０１５４】
子機１は、第３変更を指示する指示信号を制御装置３に送信する（ステップＳ１１）。子機１は、第３変更として、例えば、迷惑な来訪者が来訪して呼出を非実行にした旨を、制御装置３の表示モニタに表示する（ステップＳ１２）。子機１は、制御装置３だけでなく、例えばセキュリティ会社が管理するサーバへも、迷惑な来訪者が来訪した旨を通知してもよい。
【０１５５】
子機１は、第４変更として、ドア７の電気錠装置７０の施錠状態を維持する。この場合、子機１は、電気錠装置７０に対して、第４変更を指示する指示信号を送信しなくてもよい。
【０１５６】
その後、住人が、親機２の表示部２２を介して、呼出を非実行にした旨を知ると、表示部２２に表示される来訪者Ｈ１の映像を見ながら、来訪者Ｈ１を住人自身が評価し、親機２に手動評価情報を入力する（ステップＳ１３）。この手動評価情報は、呼出を実行する来訪者Ｈ１に関する評価であるため、自動評価情報と同様に、第１評価情報である。
【０１５７】
親機２は、子機１に、手動評価情報を含む信号を送信する（ステップＳ１４）。子機１は、親機２から、来訪者Ｈ１（実行者）に関する評価を含む手動評価情報（評価情報）を取得する（取得ステップ）。子機１は、来訪者Ｈ１の画像データと手動評価情報とを対応付けた評価更新信号を作成し（ステップＳ１５：対応付け処理）、制御装置３を介してサーバ装置２００に送信する（ステップＳ１６）。サーバ装置２００は、評価更新信号を受信すると、蓄積共有情報を更新する（ステップＳ１７：蓄積ステップ）。
【０１５８】
［動作例２］
ここでは子機１が、サーバ装置２００から受信した応答信号の自動評価情報（動作例１のステップＳ６）が、仮に第２評価であったとし、子機１が、第１変更として、親機２の呼出を実行する場合について、図６を参照しながら説明する。
【０１５９】
子機１は、第１変更を指示する指示信号を親機２に送信する（ステップＳ２１）。子機１は、第１変更として、親機２の呼出を実行に変更する（つまり呼出音を出力させる）。親機２は、指示信号（呼出信号）を受信すると、呼出音を出力する（ステップＳ２２）。
【０１６０】
ここで住人は、呼出中の親機２の表示部２２に出力されている来訪者Ｈ１の映像を見ながら、来訪者Ｈ１を住人自身が評価し、親機２に手動評価情報を入力する（ステップＳ２３）。つまり、サーバ装置２００が（宅配業者等に該当する）第２評価と評価していたが、住人が実際に映像を見ると、来訪者Ｈ１が迷惑な来訪者と判断する可能性がある。住人は、呼出に応じることなく、表示部２２に表示されている低評価ボタンＲ２（又は不審者ボタン）を押す。親機２は、手動評価情報を受け付けると、直ちに呼出音の出力を中止する（ステップＳ２４）。親機２は、子機１に、手動評価情報と呼出を中止した旨を示す中止信号を送信する（ステップＳ２５）。この手動評価情報は、呼出を実行する来訪者Ｈ１に関する評価であるため、自動評価情報と同様に、第１評価情報である。
【０１６１】
子機１は、親機２から中止信号を受信すると、第２変更として、来訪者Ｈ１に対して、呼出先の住人が留守である旨を表示部１８から通知する（ステップＳ２６）。子機１は、第３変更を指示する指示信号を制御装置３に送信する（ステップＳ２７）。子機１は、第３変更として、住人自身が迷惑な来訪者と判断して呼出を中止した旨を、制御装置３の表示モニタに表示する（ステップＳ２８）。子機１は、第４変更として、ドア７の電気錠装置７０の施錠状態を維持する。
【０１６２】
子機１は、来訪者Ｈ１の画像データと手動評価情報とを対応付けた評価更新信号を作成し（ステップＳ２９：対応付け処理）、制御装置３を介してサーバ装置２００に送信する（ステップＳ３０）。サーバ装置２００は、評価更新信号を受信すると、蓄積共有情報を更新する（ステップＳ３１：蓄積ステップ）。
【０１６３】
［動作例３］
ここでは動作例２と同様に、サーバ装置２００から受信した応答信号の自動評価情報（動作例１のステップＳ６）が、仮に第２評価であったとし、子機１が、第１変更として、親機２の呼出を実行する場合について、図７を参照しながら説明する。ただし、動作例２と異なり、住人が呼出に応じて通話が開始された場合における動作を説明する。言い換えると、子機１が、通話先との通話を実行する来訪者Ｈ１に関する評価を含む第２評価情報を取得した場合における動作に焦点を当てて説明する。
【０１６４】
子機１は、第１変更を指示する指示信号を親機２に送信する（ステップＳ５１）。子機１は、第１変更として、親機２の呼出を実行に変更する（つまり呼出音を出力させる）。
【０１６５】
親機２は、指示信号を受信すると、呼出音を出力する（ステップＳ５２）。住人は、親機２の通話ボタンを押すことで、通話が開始される（ステップＳ５３）。
【０１６６】
ここで住人は、来訪者Ｈ１との通話（会話）をしながら、来訪者Ｈ１を住人自身が評価し、親機２に手動評価情報を入力する（ステップＳ５４）。住人は、来訪者Ｈ１との会話を進めているうちに、来訪者Ｈ１が迷惑な来訪者であると判断する可能性がある。住人は、表示部２２に表示されている低評価ボタンＲ２（又は不審者ボタン、お引き取りボタン等）を押す。親機２は、手動評価情報を受け付けると、手動評価情報を含む信号を、子機１に送信する（ステップＳ５５）。この手動評価情報は、通話先との通話を実行する来訪者Ｈ１に関する評価であるため、上述の通り、第２評価情報である。
【０１６７】
子機１は、親機２から手動評価情報を受信すると、来訪者Ｈ１の画像データ、音声データ、及び手動評価情報を対応付けた評価更新信号を作成し（ステップＳ５６）、制御装置３を介してサーバ装置２００に送信する（ステップＳ５７）。サーバ装置２００は、評価更新信号を受信すると、蓄積共有情報を更新する（ステップＳ５８：蓄積ステップ）。
【０１６８】
この場合、子機１は、サーバ装置２００に対して、単に評価更新信号を送信するのではなく、再度、評価要求を行なってもよい。サーバ装置２００は、画像データ、音声データ、及び手動評価情報を含んだ評価要求信号を受信すると、サーバ装置２００の評価部２０２は、第１〜第６の処理ステップを行う。子機１は、サーバ装置２００から、自動評価情報を取得して、第３評価に変われば、子機１は、第３変更として、例えば、迷惑な来訪者が来訪した旨を、制御装置３の表示モニタに表示してもよい。この自動評価情報は、通話先との通話を実行する来訪者Ｈ１に関する評価であるため、上述の通り、第２評価情報である。
【０１６９】
動作例１〜３で説明したように、インターホンシステム１０は、来訪者Ｈ１に関する評価を含む評価情報をサーバ装置２００や親機２から取得し、評価情報に基づいて、利用者に対する対応を変更する。したがって、迷惑な来訪者に対する防衛策の向上を図ることができる。
【０１７０】
特に普段のインターホンシステム１０の利用の中で、来訪者Ｈ１に関する情報が、蓄積共有情報として蓄積され、また施設１００間で共有化されていく。そして、評価情報には、実際に住人が来訪者Ｈ１の映像や音声を確認した上で、住人自身が下した評価もフィードバックされていく。その結果、来訪者Ｈ１に関する評価が、日々、信頼度の高い評価になり、利用者に対する対応も、住人にとってより望ましい内容に進化するものである。
【０１７１】
（３）変形例
上記実施形態は、本開示の様々な実施形態の一つに過ぎない。上記実施形態は、本開示の目的を達成できれば、設計等に応じて種々の変更が可能である。また、上記実施形態に係るインターホンシステム１０と同様の機能は、インターホンシステム１０の処理方法、コンピュータプログラム、又はコンピュータプログラムを記録した非一時的記録媒体等で具現化されてもよい。
【０１７２】
以下、上記実施形態の変形例を列挙する。以下に説明する変形例は、適宜組み合わせて適用可能である。以下では、上記実施形態を「基本例」と呼ぶこともある。
【０１７３】
本開示におけるインターホンシステム１０の子機１、親機２及びサーバ装置２００は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示におけるインターホンシステム１０の子機１、親機２及びサーバ装置２００としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【０１７４】
また、インターホンシステム１０における複数の機能が、１つのハウジング内に集約されていることはインターホンシステム１０に必須の構成ではなく、インターホンシステム１０の構成要素は、複数のハウジングに分散して設けられていてもよい。反対に、インターホンシステム１０における複数の機能が、１つのハウジング内に集約されてもよい。さらに、インターホンシステム１０の少なくとも一部の機能、例えば、インターホンシステム１０の一部の機能がクラウド（クラウドコンピューティング）等によって実現されてもよい。
【０１７５】
（３．１）その他の変形例
基本例では、評価情報のうち自動評価情報は、評価処理を実行するサーバ装置２００から受信する情報であり、評価情報のうち手動評価情報（相手情報）は、親機２から受信する情報である。
【０１７６】
しかし、サーバ装置２００の評価処理を実行する評価部２０２及び対象情報を蓄積する記憶部２０３（蓄積部）の少なくとも一部の機能は、子機１、親機２及び制御装置３のうちのいずれか１箇所に、又はこれらに分散的にあってもよい。またサーバ装置２００は、制御装置３とは別にサーバ装置として、施設１００内（例えば管理室等）に設置されてもよい。また例えば、子機１が、評価部２０２の機能を全て備えてもよい。この場合、子機１の出力部１３４は、子機１自身が作成した自動評価情報を、他の機器（親機２や、制御装置３、外部のサーバ装置）に出力してもよい。子機１が、評価部２０２の機能を全て備える場合、子機１の取得部１３０の機能が、親機２、制御装置３、又は外部のサーバ装置等にあってもよい。また親機２における手動評価情報に関する操作入力を受け付ける機能も、子機１、制御装置３、外部のサーバ装置、又は住人が携帯する情報端末５０にあってもよい。ただし、子機１の構成の簡素化を考慮すれば、基本例のようにサーバ装置２００で評価処理を行うことが望ましい。
【０１７７】
また子機１におけるインターホンシステム１０の利用者に対する対応を変更する処理制御部１３１の少なくとも一部の機能は、親機２、制御装置３、及び外部のサーバ装置のうちのいずれか１箇所に、又はこれらに分散的にあってもよい。例えば、親機２が、処理制御部１３１の機能を全て備えてもよい。各住戸Ｅ１の親機２は、当該住戸Ｅ１内のルータ６０（図２参照）及び公衆網ＮＴ１を介して、サーバ装置２００に、評価要求信号を送信してもよい。
【０１７８】
基本例では、子機１は、来訪者Ｈ１の音声データをサーバ装置２００に転送して、評価要求を行う。しかし、子機１は、例えば、来訪者Ｈ１の音声データに加えて、住人の通話中の音声データを、サーバ装置２００に転送してもよい。サーバ装置２００の評価部２０２は、住人の音声データに特定のキーワードが含まれているか否かを判定してもよい。特定のキーワードは、例えば、「いいえ、結構です」「興味ありません」といった、迷惑な来訪者との会話の中で、住人が発し得る否定的なワードを含んでもよい。
【０１７９】
基本例における子機１は、更に、来訪者Ｈ１に自分が何者かを自己申告させたり来訪者Ｈ１に用件を確認したりして、その旨を親機２に通知する機能（用件通知機能）があってもよい。例えば、子機１は、センサ１７で来訪者Ｈ１を検出したタイミングで、又は呼出ボタンを押したタイミング等で、用件を確認するためのメッセージを出力してもよい。子機１は、申告又は用件の確認により得られた来訪者Ｈ１の音声データを、サーバ装置２００に転送して、評価要求を行ってもよい。また子機１は、親機２を介して、申告又は用件に対して住人に評価させてもよい。
【０１８０】
ところで、インターホンシステム１０は、上述の通り、蓄積した情報に応じて、利用者に対する対応を変更することで、住人にとってより望ましい内容に進化するものである。この点を考慮すれば、例えばインターホンシステム１０は、使用期間に応じて、利用者に対する対応を変更するものであってもよい。使用期間は、インターホンシステム１０における子機１、親機２、又は制御装置３等の使用期間である。使用期間は、子機１、親機２、又は制御装置３等の電源が投入されてからの累積の使用期間でもよいし、あるイベント毎（例えば来訪者Ｈ１の来訪毎）における使用期間でもよい。使用期間は、例えば、来訪者Ｈ１が住人と通話するために子機１を使用した期間（操作部１１への操作時間や通話時間等）でもよい。使用期間は、例えば、住人が親機２を使用した期間でもよい。
【０１８１】
またインターホンシステム１０は、動作期間に応じて、利用者に対する対応を変更するものであってもよい。動作期間は、インターホンシステム１０における子機１、親機２、又は制御装置３等が動作している期間である。動作期間は、子機１、親機２、又は制御装置３等の電源が投入されてからの累積の動作期間でもよいし、あるイベント毎（例えば来訪者Ｈ１の来訪毎）における動作期間でもよい。動作期間は、例えば、子機１が親機２に呼出音の鳴動を実行させている期間でもよい。
【０１８２】
またインターホンシステム１０は、使用量に応じて、利用者に対する対応を変更するものであってもよい。使用量は、インターホンシステム１０における子機１、親機２、又は制御装置３等に関する使用量であり、例えば、消費電力量、又はデータ通信量等である。使用量は、子機１、親機２、又は制御装置３等の電源が投入されてからの累積の使用量でもよいし、あるイベント毎（例えば来訪者Ｈ１の来訪毎）における使用量でもよい。
【０１８３】
さらにインターホンシステム１０は、使用頻度に応じて、利用者に対する対応を変更するものであってもよい。使用頻度は、インターホンシステム１０における子機１、親機２、又は制御装置３等を使用した頻度である。使用頻度は、子機１、親機２、又は制御装置３等の電源が投入されてからの累積の使用頻度でもよいし、あるイベント毎（来訪者Ｈ１の来訪毎）における使用頻度でもよい。使用頻度は、例えば、来訪者Ｈ１が子機１に対して特定の操作を行った頻度でもよい。また使用頻度は、例えば、来訪者Ｈ１との通話中に（又は来訪者Ｈ１の映像を見ながら）住人が親機２に対して特定の操作を行った頻度でもよい。
【０１８４】
またさらにインターホンシステム１０は、蓄積された情報から抽出された特徴量に応じて、利用者に対する対応を変更するものであってもよい。すなわち、インターホンシステム１０は、ある特定の特徴に応じて、利用者に対する対応を変更するものであってもよい。
【０１８５】
（４）まとめ
以上説明したように、第１の態様に係るインターホンシステム（１０）は、取得部（１３０）と、蓄積部（記憶部２０３）と、処理制御部（１３１）と、を備える。取得部（１３０）は、呼出先の呼出、及び通話先との通話の少なくとも一方を、通話装置（子機１）を用いて実行する実行者に関する情報を含む対象情報を、取得する。蓄積部（記憶部２０３）は、対象情報を蓄積する。処理制御部（１３１）は、蓄積された対象情報に基づいて、利用者に対する対応を変更する。第１の態様によれば、迷惑な来訪者に対する防衛策の向上を図ることができる。
【０１８６】
第２の態様に係るインターホンシステム（１０）に関して、第１の態様において、対象情報は、実行者の画像に対する評価を含む。第２の態様によれば、実行者の画像に対する評価を含む対象情報に基づいて、利用者に対する対応を変更するため、防衛策が更に向上される。
【０１８７】
第３の態様に係るインターホンシステム（１０）に関して、第１の態様又は第２の態様において、対象情報は、実行者の音声に対する評価を含む。第３の態様によれば、実行者の音声に対する評価を含む対象情報に基づいて、利用者に対する対応を変更するため、防衛策が更に向上される。
【０１８８】
第４の態様に係るインターホンシステム（１０）に関して、第１〜第３の態様のいずれか１つにおいて、対象情報は、呼出先、及び通話先の少なくとも一方となる相手に関する相手情報を含む。第４の態様によれば、相手情報を含む対象情報に基づいて、利用者に対する対応を変更するため、防衛策が更に向上される。
【０１８９】
第５の態様に係るインターホンシステム（１０）に関して、第４の態様において、通話装置（子機１）は、相手の側における通話機（親機２）と通信する。相手情報は、通話機（親機２）にて通話装置（子機１）からの呼出中、及び通話機（親機２）を用いた通話装置（子機１）との通話中の少なくとも一方において、通話機（親機２）で受け付けた相手からの操作入力に関する操作情報を含む。第５の態様によれば、通話機（親機２）で受け付けた操作入力に関する操作情報を含む対象情報に基づいて、利用者に対する対応を変更するため、防衛策が更に向上される。
【０１９０】
第６の態様に係るインターホンシステム（１０）は、第１〜第５の態様のいずれか１つにおいて、評価項目を設定する、項目設定部（１３２）を、更に備える。取得部（１３０）は、項目設定部（１３２）で設定された評価項目に対応する対象情報を取得する。第６の態様によれば、対象情報に関するフィルタリングを実行できる。
【０１９１】
第７の態様に係るインターホンシステム（１０）に関して、第１〜第６の態様のいずれか１つにおいて、通話装置（子機１）は、呼出先、及び通話先の少なくとも一方となる相手の側における通話機（親機２）と通信する。取得部（１３０）は、通話機（親機２）から対象情報を取得する。第７の態様によれば、例えば、通話装置（子機１）が対象情報を生成する場合に比べて、通話装置（子機１）の構成を簡素化できる。
【０１９２】
第８の態様に係るインターホンシステム（１０）に関して、第１〜第７の態様のいずれか１つにおいて、処理制御部（１３１）は、蓄積された対象情報に基づいて、インターホン機能自体に関する対応を変更する。第８の態様によれば、インターホン機能を利用した防衛策を、実施できる。
【０１９３】
第９の態様に係るインターホンシステム（１０）に関して、第１〜第８の態様のいずれか１つにおいて、処理制御部（１３１）は、蓄積された対象情報に基づいて、インターホン機能以外の外部機能に関する対応を変更する。第９の態様によれば、インターホン機能以外の外部機能を利用した防衛策を、実施できる。
【０１９４】
第１０の態様に係るインターホンシステム（１０）は、第８の態様又は第９の態様において、対応の変更に関する有効及び無効を設定する、対応設定部（１３３）を、更に備える。第１０の態様によれば、対応の変更に関する有効及び無効を設定できるため、利便性が向上される。
【０１９５】
第１１の態様に係るインターホンシステム（１０）は、第１〜第１０の態様のいずれか１つにおいて、対象情報を出力する出力部（１３４）を、更に備える。第１１の態様によれば、出力先において対象情報の利用が可能となる。
【０１９６】
第１２の態様に係るインターホンシステム（１０）は、第１〜第１１の態様のいずれか１つにおいて、サーバ装置（２００）を、更に備える。サーバ装置（２００）は、各々に通話装置（子機１）が設けられた複数の施設（１００）から、実行者に関する情報を取得して少なくとも複数の施設（１００）間で共有化する。対象情報は、共有化された情報に関する評価を含む。第１２の態様によれば、例えば、対象情報が１つの施設（１００）における情報に関する評価のみを含む場合に比べて、信頼性の高い評価を含み得る。その結果、防衛策が更に向上される。
【０１９７】
第１３の態様に係るインターホンシステム（１０）に関して、第１〜第１２の態様のいずれか１つにおいて、処理制御部（１３１）は、通話装置（子機１）を用いて呼出中、又は通話中にある実行者の単位で個別に、対応を変更する。第１３の態様によれば、実行者の単位で個別に、対応が変更されるため、防衛策が更に向上される。
【０１９８】
第１４の態様に係る処理方法は、インターホンシステム（１０）の処理方法である。処理方法は、取得ステップと、蓄積ステップと、処理制御ステップと、を含む。取得ステップにて、呼出先の呼出、及び通話先との通話の少なくとも一方を、通話装置（子機１）を用いて実行する実行者に関する情報を含む対象情報を、取得する。蓄積ステップにて、対象情報を蓄積する。処理制御ステップにて、蓄積された対象情報に基づいて、利用者に対する対応を変更する。第１４の態様によれば、迷惑な来訪者に対する防衛策の向上を図ることが可能な処理方法を提供できる。
【０１９９】
第１５の態様に係るプログラムは、１以上のプロセッサに第１４の態様の処理方法を実行させるためのプログラムである。第１５の態様によれば、迷惑な来訪者に対する防衛策の向上を図ることが可能な機能を提供できる。
【０２００】
第２〜第１３の態様に係る構成については、インターホンシステム（１０）に必須の構成ではなく、適宜省略可能である。
【符号の説明】
【０２０１】
１０  インターホンシステム
１  子機（通話装置）
１３０  取得部
１３１  処理制御部
１３２  項目設定部
１３３  対応設定部
１３４  出力部
２  親機（通話機）
１００  施設
２００  サーバ装置
２０３  記憶部（蓄積部）
【図１】
2020184657.tif 000003
【図２】
2020184657.tif 000004
【図３】
2020184657.tif 000005
【図４】
2020184657.tif 000006
【図５】
2020184657.tif 000007
【図６】
2020184657.tif 000008
【図７】
2020184657.tif 000009